(57)【特許請求の範囲】
【請求項１】
壁面の出隅部分に取り付けられるアングル状のプラスチック薄板から成る建築用コーナー材であって、
前記コーナー材本体(１)が、壁面に対向させる内側面を備えた一対の平板部(11)(11)と、これらの平板部(11)(11)を、平板部(11)(11)同士が所定角度を成すように中央で連結する屈曲部(12)とから構成されている一方、
前記一対の平板部(11)(11)の外側面には、先端部(Ｅ)から屈曲部(12)側に向かって逓次的に平板部(11)の肉厚が増大する傾斜面(Ｓ)(Ｓ)が、各平板部(11)(11)の幅の２／３以上の領域にわたって形成され、更に当該傾斜面(Ｓ)の形成領域において、平板部(11)の先端部(Ｅ)の厚みが0.15〜0.3mm、屈曲部(12)側の最大厚みが0.6〜1.0mmとなっており、
更に前記平板部(11)には、幅方向中央よりも先端部(Ｅ)寄りの位置および屈曲部(12)寄りの位置にそれぞれ長さ方向に所定間隔で並んだ孔部(Ｈ)(Ｈ)…の列が、一列ごとに互い違いにズラして三列形成されると共に、屈曲部(12)側に形成した孔列と真ん中の孔列の間隔が、先端部(Ｅ)側に形成した孔列と真ん中の孔列の間隔よりも大きくなるようにし、更に前記平板部(11)の内側面には、先端部(Ｅ)近傍から屈曲部(12)側にかけて幅が平板部(11)の幅の40〜60％の大きさの両面テープ(２)が、屈曲部(12)寄りの孔部(Ｈ)(Ｈ)…周囲を覆わないように貼着されていることを特徴とする建築用コーナー材。
【請求項２】
コーナー材本体(１)の各平板部(11)(11)において、多数の孔部(Ｈ)(Ｈ)…が形成されると共に、各平板部(11)(11)の当該孔部(Ｈ)(Ｈ)…による減量率が、単位長さ当たりの重量で5〜20％となっていることを特徴とする請求項１記載の建築用コーナー材。
【請求項３】
コーナー材本体(１)の各平板部(11)(11)において、先端部(Ｅ)寄りの位置に形成された孔部(Ｈ)(Ｈ)…の面積の和が、屈曲部(12)寄りの位置に形成された孔部(Ｈ)(Ｈ)…の面積の和よりも大きくなっていることを特徴とする請求項２記載の建築用コーナー材。
【請求項４】
コーナー材本体(１)の外側面において、先端部(Ｅ)から屈曲部(12)側にかけて細かい凹凸加工が施された粗面部(Ｎ)が、平板部11の全幅の40％以上の幅にわたって形成されていることを特徴とする請求項１〜３の何れか一つに記載の建築用コーナー材。
【請求項５】
コーナー材本体(１)の各平板部(11)(11)の内側面に、先端部(Ｅ)近傍から屈曲部(12)側にかけて先端部(Ｅ)よりも薄い厚さ0.05〜0.2mmの両面テープ(２)が貼着されていることを特徴とする請求項１〜４の何れか一つに記載の建築用コーナー材。
【請求項６】
コーナー材本体(１)の材料に硬質の塩化ビニル樹脂またはスチレン系樹脂が使用されていることを特徴とする請求項１〜５の何れか一つに記載の建築用コーナー材。
【発明の詳細な説明】
【技術分野】
【０００１】
本発明は、建築用コーナー材の改良、詳しくは、内壁の出隅部分に張ったクロスのシワや破れを防止できるだけでなく、出隅部分への取付け時に行うパテ塗り作業を効率的かつ低コストで行える建築用コーナー材に関するものである。
【背景技術】
【０００２】
近年、住宅の内装工事において、内壁の出隅部分に張ったクロスの地震等による外観悪化(下地パネルのズレによりクロスにシワが入ったり破れたりする現象)を防ぐために、下地パネルの動きを抑制するアングル状のコーナー材を出隅部分に取り付け、この取り付けたコーナー材の上からクロス張りを行うのが一般的である。
【０００３】
そして、従来においては、上記アングル状のコーナー材として、プラスチック製のものが既に開発されているが(例えば、特許文献１,２参照)、この従来のコーナー材は、厚みが大きいだけでなく、平板部の先端部付近に角度の急な傾斜面が形成されていたため、出隅部分に取り付けた際に下地パネル上に大きな段差が生じ易かった。
【０００４】
そのため、コーナー材と下地パネルの上面にパテ材を塗る際、一度、両者の間に生じている段差をパテ材で均す作業が必要となり、パテ塗り作業を二回に分けて行わなければならなかったため、作業を迅速に完了させることができなかった。しかも、段差部分にはパテ材を厚く塗る必要があったため、材料コストも嵩み易かった。
【０００５】
一方、従来においては、平板部の外側面全体に傾斜面が形成されたコーナー材も公知となっているが(例えば、特許文献３〜５参照)、これらの文献中には、平板部の厚みが具体的に記載されていないため、段差形成要因となる平板部の最大厚み、先端部の最小厚み、及び傾斜面の角度が不明である。
【０００６】
また他にも、上記平板部の外側面全体に傾斜面が形成されたコーナー材において、平板部の具体的な厚みが記載されたものも公知となっているが(特許文献６参照)、この文献６に係るコーナー材については、平板部の先端部の最小厚みが0.4mmと比較的大きいため、充分な段差解消効果を得ることが難しい。
【先行技術文献】
【特許文献】
【０００７】
【特許文献１】実開平６−１０４６５号公報
【特許文献２】特開２０１１−４７１１４号公報
【特許文献３】実開平６−５６３１３号公報
【特許文献４】実公平８−８１８７号公報
【特許文献５】実用新案登録第３０７５４４５号公報
【特許文献６】特開２００７−２３７３２号公報
【発明の概要】
【発明が解決しようとする課題】
【０００８】
本発明は、上記の如き問題に鑑みて為されたものであり、その目的とするところは、内壁の出隅部分に張ったクロスのシワや破れを防止できるだけでなく、出隅部分への取付け時に行うパテ塗り作業を効率的かつ低コストで行える建築用コーナー材を提供することにある。
【課題を解決するための手段】
【０００９】
本発明者が上記課題を解決するために採用した手段を添付図面を参照して説明すれば次のとおりである。
【００１０】
即ち、本発明は、壁面の出隅部分に取り付けられるアングル状のプラスチック薄板から成る建築用コーナー材において、
前記コーナー材本体１を、壁面に対向させる内側面を備えた一対の平板部11・11と、これらの平板部11・11を、平板部11・11同士が所定角度を成すように中央で連結する屈曲部12とから構成する一方、
前記一対の平板部11・11の外側面には、先端部Ｅから屈曲部12側に向かって逓次的に平板部11の肉厚が増大する傾斜面Ｓ・Ｓを、各平板部11・11の幅の２／３以上の領域にわたって形成し、更に当該傾斜面Ｓの形成領域において、平板部11の先端部Ｅの厚みを0.15〜0.3mm、屈曲部12側の最大厚みを0.6〜1.0mmとし、
更に前記平板部11には、幅方向中央よりも先端部Ｅ寄りの位置および屈曲部12寄りの位置にそれぞれ長さ方向に所定間隔で並んだ孔部Ｈ・Ｈ…の列を、一列ごとに互い違いにズラして三列形成すると共に、屈曲部12側に形成した孔列と真ん中の孔列の間隔を、先端部Ｅ側に形成した孔列と真ん中の孔列の間隔よりも大きくなるようにし、更に前記平板部11の内側面に、先端部Ｅ近傍から屈曲部12側にかけて幅が平板部11の幅の40〜60％の大きさの両面テープ２を、屈曲部12寄りの孔部Ｈ・Ｈ…周囲を覆わないように貼着した点に特徴がある。
【００１１】
また、上記コーナー材本体１の各平板部11・11については、コーナー材本体１の曲げ剛性を低下させずに、平板部11・11に対するパテ材の付着性を高めるために、多数の孔部Ｈ・Ｈ…を形成すると共に、各平板部11・11の当該孔部Ｈ・Ｈ…による減量率を、単位長さ当たりの重量で5〜20％とするのが好ましい。
【００１２】
また更に、上記コーナー材本体１の各平板部11・11に孔部Ｈ・Ｈ…を設ける場合には、先端部Ｅ寄りの位置に形成された孔部Ｈ・Ｈ…の面積の和を、屈曲部12寄りの位置に形成された孔部Ｈ・Ｈ…の面積の和よりも大きくするのが好ましい。
【００１３】
そしてまた、本発明では、平板部11・11に対するパテ材の付着性を高めるために、コーナー材本体１の外側面に、先端部Ｅから屈曲部12側にかけて細かい凹凸加工が施された粗面部Ｎを、平板部11の全幅の40％以上の幅にわたって形成することもできる。
【００１４】
また、上記コーナー材本体１の平板部11に粗面部Ｎを形成する場合には、粗面部Ｎの形状を、長さ方向に延びた多数の細溝が幅方向に並んだ形状とするのが好ましい。加えて、上記粗面部Ｎの凹凸の深さは、コーナー材本体１の強度を保持するために0.1mm以下とするのが好ましい。
【００１５】
一方、本発明では、上記コーナー材本体１の各平板部11・11の内側面に、先端部Ｅ近傍から屈曲部12側にかけて先端部Ｅよりも薄い厚さ0.05〜0.2mmの両面テープ２を貼着することができ、これによって、コーナー材本体１の仮留めを可能にすると共に、平板部11・11の先端部側の波打ちを防止することができる。
【００１７】
他方また、上記コーナー材本体１の材料に関しては、曲げ強度や成形性の面で優れた硬質の塩化ビニル樹脂またはスチレン系樹脂が使用するのが好ましい。
【発明の効果】
【００１８】
本発明では、コーナー材の平板部の外側面に、先端部から屈曲部側にかけて角度の緩やかな傾斜面を形成すると共に、平板部の先端部の厚みを0.15〜0.3mm、屈曲部側の最大厚みを0.6〜1.0mmと薄くしたことによって、コーナー材の取付け時に生じる下地パネル上の段差を小さく抑えることが可能となった。
【００１９】
そのため、本発明のコーナー材においては、下地パネル上の段差を均すパテ塗りを行う必要がないため、取付け時のパテ塗り作業を迅速に行うことができる。しかも、本発明では、下地パネル上の段差を小さくしたことによって、塗布するパテ材の量も抑制できるため、低コストでパテ塗り作業を行うことができる。
【００２０】
したがって、本発明により、下地パネルのズレを抑制してクロス皺の発生を防止する基本機能を損なうことなく、取付け作業の効率化及び低コスト化が図れる建築用コーナー材を提供できることから、本発明の実用的利用価値は頗る高い。
【図面の簡単な説明】
【００２１】
【図１】本発明の実施例１における建築用コーナー材を表わす全体斜視図である。
【図２】本発明の実施例１における建築用コーナー材を表わす拡大上面図および端面図である。
【図３】本発明の実施例１における建築用コーナー材を表わす拡大下面図および端面図である。
【図４】本発明の実施例１における建築用コーナー材の使用状態を表す状態説明図である。
【発明を実施するための形態】
【００２２】
『実施例１』
まず本発明の実施例１について、図１から図４に基いて以下に説明する。なお同図において、符号１で指示するものは、コーナー材本体である。また符号２で指示するものは、両面テープである。そして、符号Ｃで指示するものは、コーナー材本体と両面テープから成る建築用コーナー材である。
【００２３】
［コーナー材本体の構成］
まず実施例１では、熱可塑性樹脂を押出成形して作製されたアングル状のプラスチック薄板からコーナー材本体１を構成している(図１参照)。また、コーナー材本体１は、幅28mmの一対の平板部11・11と、これらの平板部11・11を、平板部11・11同士が所定角度を成すように中央で連結する屈曲部12とから構成している。
【００２４】
［コーナー材本体の材料］
また、上記コーナー材本体１の材料に関しては、本実施例では硬質の塩化ビニル樹脂を使用している。但し、曲げ強度や成形性に問題がなければ、必要に応じてスチレン系樹脂やＰＥＴ樹脂も好適に採用できる。なおスチレン系樹脂には、ポリスチレン樹脂、耐衝撃性ポリスチレン樹脂、ＡＢＳ樹脂、ＡＥＳ樹脂、ＡＳＡ樹脂などが含まれる。
【００２５】
［平板部の傾斜面］
また、上記一対の平板部11・11の外側面には、図２に示すように、先端部Ｅから屈曲部12側に向かって逓次的に平板部11の肉厚が大きくなる傾斜面Ｓ・Ｓを、各平板部11・11の幅全域にわたって形成している。そして更に、この傾斜面Ｓの形成領域において、平板部11の先端部Ｅの厚みを0.2mm(好ましくは0.15〜0.3mm)となるようにし、屈曲部12側の最大厚みを0.8mm(好ましくは0.6〜1.0mm)となるようにしている。
【００２６】
［平板部の開孔形状］
また、上記コーナー材本体１の各平板部11・11には、図１〜図３に示すように、長さ方向に所定間隔で並んだ孔部Ｈ・Ｈ…の列を、一列ごとに互い違いにズラして三列形成している。そしてこれにより、各平板部11・11における孔部Ｈ・Ｈ…による減量率が、単位長さ当たりの重量で5〜20％となるようにして材料コストを低減している。
【００２７】
また本実施例では、上記平板部11・11に形成した孔部Ｈ・Ｈ…において、屈曲部12側に形成した孔列と真ん中の孔列の間隔を、先端部Ｅ側に形成した孔列と真ん中の孔列の間隔よりも大きくすることで、孔部Ｈ・Ｈ…を先端部Ｅ寄りの位置に多く形成している。これにより、平板部11の屈曲部12付近の減量が抑えられるため、コーナー材本体１の曲げ強度を保持できる。
【００２８】
なお、上記コーナー材本体１の曲げ強度を保持する方法については、先端部Ｅ寄りの位置に形成された孔部Ｈ・Ｈ…の面積の和が、屈曲部12寄りの位置に形成された孔部Ｈ・Ｈ…の面積の和よりも大きくなればよいため、本実施例のように孔部Ｈ・Ｈ…の位置を工夫する以外にも、孔部の寸法・形状を変えて開孔面積を調節することもできる。
【００２９】
［平板部の粗面形状］
また本実施例では、上記コーナー材本体１の外側面に、図１や図２に示すように先端部Ｅから屈曲部12側にかけて細かい凹凸加工が施された粗面部Ｎを形成している。なお本実施例では、上記粗面部Ｎを平板部11の全面に形成しているが、粗面部Ｎは少なくとも平板部11の全幅の40％以上の幅にわたって形成されていればよく、またコーナー材本体１の曲げ強度を保持するために、各平板部11・11の屈曲部12側に非加工面部を残した状態で形成してもよい。
【００３０】
また本実施例では、上記粗面部Ｎの形状を、長さ方向に延びた多数の細溝が幅方向に並んだ形状として、押出成形時に簡単に凹凸加工を行えるようにしている。また本実施例では、上記粗面部Ｎの凹凸深さを0.1mm以下とすることによって、平板部11・11の先端部Ｅ側の強度を保持している。
【００３１】
ちなみに、上記粗面部Ｎは、平板部11の傾斜面Ｓ上に形成されるため、平板部11の肉厚は傾斜面Ｓ上において局部的に増減を繰り返すが、粗面部Ｎの頂点部(凸部)の肉厚は屈曲部12側に近づくほど大きくなるため、傾斜面Ｓ上における平板部11の肉厚は大局的にみると増大傾向となる。
【００３２】
［両面テープ］
また本実施例では、図３に示すように、上記コーナー材本体１の各平板部11・11の内側面に、先端部Ｅ近傍から屈曲部12側にかけて両面テープ２・２を貼着している。これにより、被固定物に対するコーナー材本体１の仮留めが可能となるだけでなく、平板部11・11の先端部Ｅ側の波打ち(変形)を防止することができる。
【００３３】
また本実施例では、上記平板部11の波打ちを効果的に防止できるように、両面テープ２の幅を15mm(好ましくは、10〜25mm)、かつ、平板部11の幅の40〜60％(好ましくは50％以上)の大きさとしている。また本実施例では、同様の目的で、両面テープ２の端縁部と平板部11の先端部Ｅの間隔Ｄが1.0mm(好ましくは0.5mm)以下となるなるように両面テープ２の貼り付けを行っている。
【００３４】
また更に、本実施例では、上記両面テープ２に、平板部11の先端部Ｅよりも薄い厚さ0.15mm(好ましくは0.05〜0.2mm)のものを使用しているため、両面テープ２の厚さ分、平板部11が被固定部から浮き上がったとしても、平板部11の先端部Ｅと被固定物との間に大きな段差が生じることはない。
【００３５】
しかも、本実施例においては、上記両面テープ２が平板部11の孔部Ｈ・Ｈ…を塞がないように、両面テープ２を平板部11に貼り付けた後に平板部11の孔部Ｈ・Ｈ…を形成するパンチング加工を行っているため、軽量化が図れるだけでなく、後述の孔部Ｈ・Ｈ…による効果が損なわれることもない。
【００３６】
［建築用コーナー材の取付方法］
次に、本実施例のコーナー材本体１と両面テープ２・２から成る建築用コーナー材Ｃの取付方法を説明する。まず建築用コーナー材Ｃを、図４(a)に示すように、壁面の出隅部分に平板部11・11の内側面を対向させて当接させ、図４(b)に示すように、両面テープ２・２を壁下地材Ｗに貼り付けて、建築用コーナー材Ｃを壁下地材Ｗに仮留めする。
【００３７】
その後、図４(c)に示すように、壁下地材Ｗ及び建築用コーナー材Ｃ上にパテ材Ｐを塗布して、両者の段差を解消すると共に、建築用コーナー材Ｃを壁下地材Ｗに固定する。この際、コーナー材本体１の平板部11の先端部Ｅの厚みを小さくし、更に傾斜面Ｓの角度を緩く形成しておくことで、壁下地材Ｗとの段差を小さく抑えることができるため、パテ材Ｐの塗布作業を迅速に完了できる。
【００３８】
また本実施例では、コーナー材本体１の平板部11・11に粗面部Ｎを形成しているため、上記パテ塗り作業の際、粗面部Ｎの細かな凹凸部にパテ材Ｐが入り込んで、平板部11・11の外側面とパテ材Ｐとの接触面積が拡大する。これにより、コーナー材本体１に対するパテ材Ｐの付着性を向上させることができる。
【００３９】
加えて、本実施例では、コーナー材本体１の平板部11・11に多数の孔部Ｈ・Ｈ…を形成しているため、上記パテ塗り作業の際に、パテ材Ｐが孔部Ｈ・Ｈ…にパテ材Ｐが入り込んで壁下地材Ｗに接触する。これにより、パテ材Ｐによる壁下地材Ｗと建築用コーナー材Ｃの接着効果が高まり、建築用コーナー材Ｃの剥がれを防止できる。
【００４０】
本発明は、概ね上記のように構成されるが、本発明は図示の実施形態に限定されるものでは決してなく、「特許請求の範囲」の記載内において種々の変更が可能であって、例えば、コーナー材本体１の材質は、押出成形が可能な熱可塑性樹脂であれば、塩化ビニル樹脂やスチレン形樹脂以外の樹脂を使用することもできる。
【００４１】
また、コーナー材本体１の平板部11・11の傾斜面Ｓ・Ｓは、各平板部11・11の全幅にわたって形成されていなくても、緩い傾斜角度で幅の２／３以上の領域にわたって形成されていればよい。また更に、粗面部Ｎの形状についても、細かな凹凸を有する形状であれば実施例以外の形状を採用することができ、何れのものも本発明の技術的範囲に属する。
【産業上の利用可能性】
【００４２】
周知のとおり、住宅の内壁には、多くの出隅部分が設けられているが、これらの部位に張った壁紙に短期間でシワが生じると、新築住宅の雰囲気が著しく損なわれるため、居住者の不満も大きい。そのような中で、本発明の建築用コーナー材は、壁紙のシワの問題を抑制できるだけでなく施工作業も簡単に行える実用的な技術であるため、その産業上の利用価値は非常に高い。
【符号の説明】
【００４３】
１  コーナー材本体
11  平板部
12  屈曲部
２  両面テープ
Ｃ  建築用コーナー材
Ｅ  先端部
Ｓ  傾斜面
Ｈ  孔部
Ｎ  粗面部
Ｗ  壁下地材
Ｐ  パテ材
【図１】
0006635662.tif 000002
【図２】
0006635662.tif 000003
【図３】
0006635662.tif 000004
【図４】
0006635662.tif 000005